(57)【要約】【課題】軒先部材の形状を変更することなく、軒先に対し、長手方向に移動可能に吊具を取付ける。【解決手段】吊具（２）は、厚みのある端部を有する軒先部材として、たとえば軒天面材（１２）に取付けられる。吊具（２）は、軒天面材（１２）の端部を受入れる受入れ部（２１）と、受入れ部（２１）に連結され、受入れ部（２１）から下方に延びるフック部（２２）とを含む。吊具（２）の受入れ部（２１）は、典型的には、軒天面材（１２）の端部を上下に挟み込む形状とされる。このような構成とすることで、軒天面材（１２）の端部が、吊具（２）のレールとしての機能を果たす。【選択図】図１
2014169607.tif 000002
【特許請求の範囲】
【請求項１】
建物の軒先構造であって、
厚みのある端部を有する軒先部材と、
前記軒先部材に取付けられる吊具とを備え、
前記吊具は、
前記端部を受入れる受入れ空間を有する受入れ部と、
前記受入れ部に連結され、前記受入れ部から下方に延びるフック部とを含む、軒先構造。
【請求項２】
前記軒先部材は、
桟材に固定される軒天ボードと、
前記軒天ボードの前方端部分を覆い隠す鼻隠し材とを含み、
前記端部は、前記軒天ボードの前記前方端部分である、請求項１に記載の軒先構造。
【請求項３】
前記受入れ部は、前記軒天ボードの前記端部を上下に挟み込む形状である、請求項２に記載の軒先構造。
【請求項４】
前記受入れ部は、
前記軒天ボードの上面側に配置される第１の平面部と、
前記軒天ボードの下面側に配置される第２の平面部と、
前記第１の平面部および前記第２の平面部を連結する連結部とを有し、
軒の出方向における前記第１の平面部の長さは、前記第２の平面部の長さよりも長い、請求項３に記載の軒先構造。
【請求項５】
前記フック部は、軒元方向に向くように形成されている、請求項２〜４のいずかに記載の軒先構造。
【請求項６】
前記フック部は、前記軒天ボードの下面と前記鼻隠し材の下端位置との間の領域に収まるように形成されている、請求項５に記載の軒先構造。
【請求項７】
前記軒先構造は、
前記軒天ボードよりも上側に位置し、前記鼻隠し材が固定される下地部材と、
前記軒天ボードの長手方向に沿って前記下地部材の下面に固定され、前記受入れ部を抱え込む抱え込み部とをさらに備える、請求項２〜６のいずれかに記載の軒先構造。
【請求項８】
前記吊具の所定位置には、ネジ穴が形成されており、
前記吊具は、前記ネジ穴にネジが嵌合されることによって固定可能である、請求項１〜７のいずれかに記載の軒先構造。
【請求項９】
前記吊具の第１の位置には、ネジ穴が形成されており、
前記鼻隠し材における、前記第１の位置と対向し得る第２の位置には、間隔を置いて複数のネジ穴が形成されており、
前記吊具は、前記吊具のネジ穴および前記鼻隠し材のいずれかのネジ穴にネジが嵌合されることによって、前記鼻隠し材に固定可能である、請求項１〜７のいずれかに記載の軒先構造。
【請求項１０】
前記フック部は、前記受入れ部と連結され、垂直方向に延びる垂下部を有し、
前記ネジ穴は、前記垂下部に形成される、請求項８または９に記載の軒先構造。
【請求項１１】
厚みのある端部を有する軒先部材に取付けられる吊具であって、
前記端部を受入れる受入れ空間を有する受入れ部と、
前記受入れ部に連結され、前記受入れ部から下方に延びるフック部とを備える、吊具。
【発明の詳細な説明】
【技術分野】
【０００１】
本発明は、吊具および軒先構造に関し、特に、軒の長手方向に移動可能に取付けられる吊具、および、このような吊具を備えた軒先構造に関する。
【背景技術】
【０００２】
建物の軒先に、つる系の植物を登坂させるネットや簾といった吊り下げ物を掛けるための吊具（フック）が取付けられることがある。
【０００３】
そこで、必要なときにすぐに吊り下げ物が掛けられるように、予めフックを取付けた軒先構造も提案されている。たとえば、特開２０１１−１２７４０６号公報（特許文献１）には、建物の鼻隠し材に予めフックを取付けることが開示されている。特開２００９−１９４０６号公報（特許文献２）および特開２００６−３７４２８号公報（特許文献３）には、軒樋吊具の鼻板固定部より下方にフックを設けることが開示されている。
【０００４】
また、吊具としては、特開２００２−２０９７１７号公報（特許文献４）に、後付けで、窓枠等に取付け可能な日除け吊り具が開示されている。当該吊り具は、ネジを締め付けることによって、取付金具の後壁と押圧部でアルミサッシ上枠を挟持する構成である。
【先行技術文献】
【特許文献】
【０００５】
【特許文献１】特開２０１１−１２７４０６号公報
【特許文献２】特開２００９−１９４０６号公報
【特許文献３】特開２００６−３７４２８号公報
【特許文献４】特開２００２−２０９７１７号公報
【発明の概要】
【発明が解決しようとする課題】
【０００６】
一般的に、吊具を軒先部材に取付けるためには、別途下地を設ける必要がある。また、軒天ボードに吊具を直接固定する場合、固定部が目立つため、軒裏の美観を損ねてしまう。
【０００７】
また、上記特許文献１〜３のような従来の軒先用の吊具は、鼻隠し材などの軒先部材の所定位置に予め形成されている。したがって、一般的な軒先部材をそのまま用いることができないため、汎用性に乏しい。さらに、吊具を、長手方向の所望の位置に移動させることができない。特許文献４の吊り具も同様である。
【０００８】
本発明は、上記のような課題を解決するためになされたものであって、その目的は、軒先部材の形状を変更することなく、軒先に対し、長手方向に移動可能に取付けられる吊具、および、これを備えた軒先構造を提供することである。
【課題を解決するための手段】
【０００９】
この発明のある局面に従う軒先構造は、建物の軒先構造であって、厚みのある端部を有する軒先部材と、軒先部材に取付けられる吊具とを備える。吊具は、端部を受入れる受入れ空間を有する受入れ部と、受入れ部に連結され、受入れ部から下方に延びるフック部とを含む。
【００１０】
好ましくは、軒先部材は、桟材に固定される軒天ボードと、軒天ボードの前方端部分を覆い隠す鼻隠し材とを含み、端部は、軒天ボードの前方端部分である。
【００１１】
好ましくは、受入れ部は、軒天ボードの端部を上下に挟み込む形状である。
【００１２】
この場合、受入れ部は、軒天ボードの上面側に配置される第１の平面部と、軒天ボードの下面側に配置される第２の平面部と、第１の平面部および第２の平面部を連結する連結部とを有し、軒の出方向における第１の平面部の長さは、第２の平面部の長さよりも長いことが望ましい。
【００１３】
好ましくは、フック部は、軒元方向に向くように形成されている。
【００１４】
好ましくは、フック部は、軒天ボードの下面と鼻隠し材の下端位置との間の領域に収まるように形成されている。
【００１５】
好ましくは、軒先構造は、軒天ボードよりも上側に位置し、鼻隠し材が固定される下地部材と、軒天ボードの長手方向に沿って下地部材の下面に固定され、受入れ部を抱え込む抱え込み部とをさらに備える。
【００１６】
好ましくは、吊具の所定位置には、ネジ穴が形成されており、吊具は、ネジ穴にネジが嵌合されることによって固定可能である。
【００１７】
あるいは、吊具の第１の位置には、ネジ穴が形成されており、鼻隠し材における、第１の位置と対向し得る第２の位置には、間隔を置いて複数のネジ穴が形成されており、吊具は、吊具のネジ穴および鼻隠し材のいずれかのネジ穴にネジが嵌合されることによって、鼻隠し材に固定可能であってもよい。
【００１８】
好ましくは、フック部は、受入れ部と連結され、垂直方向に延びる垂下部を有し、ネジ穴は、垂下部に形成される。
【００１９】
この発明の他の局面に従う吊具は、厚みのある端部を有する軒先部材に取付けられる吊具であって、端部を受入れる受入れ空間を有する受入れ部と、受入れ部に連結され、受入れ部から下方に延びるフック部とを備える。
【発明の効果】
【００２０】
軒先部材の形状を変更することなく、軒先に対し、長手方向に移動可能に吊具を取付けることができる。
【図面の簡単な説明】
【００２１】
【図１】本発明の実施の形態１に係る軒先構造を模式的に示す模式断面図である。
【図２】本発明の実施の形態１に係る軒先構造の部分拡大図である。
【図３】本発明の実施の形態１に係る吊具の外観斜視図である。
【図４】本発明の実施の形態１において、吊具の取付け状態を模式的に示す斜視図である。
【図５】本発明の実施の形態２に係る軒先構造の部分拡大図である。
【図６】本発明の実施の形態２に係る吊具の外観斜視図である。
【図７】本発明の実施の形態２において、吊具が固定された状態を模式的に示す斜視図である。
【図８】本発明の実施の形態２の変形例１に係る軒先構造の部分拡大図である。
【図９】本発明の実施の形態２の変形例２に係る軒先構造の部分拡大図である。
【図１０】本発明の実施の形態３に係る軒先構造の部分拡大図である。
【図１１】本発明の実施の形態３の変形例に係る吊具の外観斜視図である。
【図１２】本発明の実施の形態４に係る軒先構造を模式的に示す模式断面図である。
【図１３】本発明の実施の形態４に係る軒先構造の部分拡大図である。
【発明を実施するための形態】
【００２２】
本発明の実施の形態について図面を参照しながら詳細に説明する。なお、図中同一または相当部分には同一符号を付してその説明は繰返さない。
【００２３】
＜実施の形態１＞
はじめに、本発明の実施の形態１に係る軒先構造について説明する。
【００２４】
図１は、本発明の実施の形態１に係る軒先構造１０を模式的に示す模式断面図である。図２は、本発明の実施の形態１に係る軒先構造１０の部分拡大図である。図２には、図１において破線１００で囲んだ部分が拡大して示されている。
【００２５】
図１および図２を参照して、本実施の形態では、軒の一例として庇１が示されている。庇１は、建物の外壁（図示せず）に取り付けられている。本実施の形態では、建物側（外壁側）を「軒元側」といい、その反対側を「軒先側」または「前方」という。また、軒元側を向く方向（軒元方向）および軒先側を向く方向（軒先方向）を総称して「軒の出方向」という。また、水平面上において軒の出方向と直交する方向を「長手方向」という。
【００２６】
庇１の軒先には、屋根部１１、軒天ボード（軒天面材）１２および鼻隠し材１３が設置される。吊具２は、端部に厚みを有する軒先部材に取付けられる。本実施の形態では、吊具２は、軒天ボード１２の軒先側の端部に取付けられる。なお、図１には、理解を容易にするために、本実施の形態の軒先構造１０に関わる部材のみが図示されている。
【００２７】
軒天ボード１２は、軒裏側に長手方向に沿って水平に配置される。具体的には、軒天ボード１２は、パネル枠の桟材１４の下方に配置され、たとえばビス１５によって桟材１４に固定されている。軒天ボード１２は、所定の厚みを有しており、上面１２ａおよび下面１２ｂを有している。
【００２８】
鼻隠し材１３は、鋼製であり、最も軒先側に庇１の長手方向に沿って配置される。鼻隠し材１３は、軒天ボード１２の前方端部分を覆い隠すように配置されており、軒天ボード１２の下面１２ｂにまで延びている。鼻隠し材１３のうち、軒天ボード１２の下面１２ｂを覆っている部分３０を、ここでは「覆い部」という。覆い部は、水切りとして機能する。覆い部３０は、略Ｕ字形状となっており、水平方向に延びる下側水平部３１と、下側水平部３１の軒元側から上方に延びる垂直部３２と、垂直部３２の上端から軒先側に延びる上側水平部３３とで構成されている。下側水平部３１および上側水平部３３は、設置状態において軒天ボード１２の下面１２ｂ（上面１２ａ）と平行である。
【００２９】
図２を参照して、軒天ボード１２の下面１２ｂと、その下方に位置する覆い部３０の上側水平部３３との間には、通常、多少の隙間が存在する。本実施の形態では、軒天ボード１２の厚みとこの隙間とを利用して、吊具２が、軒天ボード１２の端部に取付けられる。
【００３０】
ここで、本実施の形態に係る吊具２について詳細に説明する。図３は、本発明の実施の形態１に係る吊具２の外観斜視図である。
【００３１】
図２および図３を参照して、吊具２は、軒天ボード１２の端部を受入れる受入れ空間２０を有する受入れ部２１と、受入れ部２１に連結され、受入れ部２１から下方に延びるフック部２２とを含む。フック部２２には、簾などの吊り下げ物が引っ掛けられる。吊具２は、たとえば金属製である。
【００３２】
本実施の形態では、軒の出方向における第１の平面部２１１の長さは、第２の平面部２１３の長さよりも長い。また、図３に示されるように、受入れ部２１の幅（長手方向の長さ）は、フック部２２の幅よりも大きい。これにより、軒天ボード１２に、安定的に吊具２を取付けることができる。
【００３３】
また、受入れ部２１は、軒天ボード１２の端部を上下に挟み込む形状である。具体的には、受入れ部２１は、軒天ボード１２の上面１２ａ側に配置される第１の平面部２１１と、軒天ボード１２の下面１２ｂ側に配置される第２の平面部２１３と、第１の平面部２１１および第２の平面部２１３を連結する連結部２１２とで構成される。受入れ部２１の形状をこのような形状とすることによって、吊具２のがたつきを抑制することができる。つまり、吊具２が軒の出方向に移動したり、回転したり（図２において反時計回り）することを抑制することができる。
【００３４】
フック部２２は、取り付け状態において、軒元方向を向くように形成されている。具体的には、フック部２２は、受入れ部２１の第２の平面部２１３から下方側に垂直に延びる垂下部２２１と、垂下部２２１と連結され、軒元方向に延びる平面部２２２と、平面部２２２と連結された傾斜部２２３とを含む。なお、フック部２２の形状は限定的ではない。
【００３５】
上述のように、軒天ボード１２は、庇１の長手方向に沿って配置されている。そのため、吊具２の受入れ部２１の形状を軒天ボード１２の端部を受入れる形状とすることで、軒天ボード１２の端部をレールとして利用することができる。
【００３６】
図４は、本発明の実施の形態１において、吊具２の取付け状態を模式的に示す斜視図である。なお、図４では、理解を容易にするために、軒天ボード１２の図示は省略されている。
【００３７】
図１および図４を参照して、本実施の形態では、軒天ボード１２の端部は、鼻隠し材１３の覆い部３０により隠された部分であるため、吊具２のうちフック部２２のみが庇１の下端側から露出する。フック部２２は、垂下部２２１の背面が、鼻隠し材１３の覆い部３０における垂直部３２と接触または隣接する位置に配置される。ユーザは、露出されたフック部２２を掴んで長手方向にスライドさせることで、所望の位置に吊具２を移動させることができる。
【００３８】
また、フック部２２は、その垂直方向の長さが、軒天ボード１２の下面１２ｂと、鼻隠し材１３の下端位置である第１の水平部３１との間の領域に収まるように形成されている。したがって、吊具２を使用しない場合でも、庇１の美観を良好に維持することができる。
【００３９】
以上説明したように、本実施の形態によれば、吊具を取付ける対象となる軒先部材すなわち軒天ボード１２の形状を変更することなく、吊具２を取り付けることができる。したがって、汎用性が高く、庇１の美観を保つことができる。また、軒天ボード１２の端部をレールとして利用するため、別途レールを取り付ける必要がない。したがって、取付けの手間およびコストを抑えることができる。
【００４０】
＜実施の形態２＞
次に、本発明の実施の形態２に係る軒先構造について説明する。
【００４１】
本実施の形態では、吊具の長手方向の位置を所望の位置に固定できる構成である。本実施の形態においても、軒先の基本構造は、実施の形態１と同様である。したがって、ここでは実施の形態１と異なる部分のみ詳細に説明する。なお、以下の実施の形態においても同様とする。
【００４２】
図５は、本発明の実施の形態２に係る軒先構造１０Ａの部分拡大図である。図６は、本発明の実施の形態２に係る吊具２Ａの外観斜視図である。図７は、本発明の実施の形態２において、吊具２Ａが固定された状態を模式的に示す斜視図である。
【００４３】
図５および図６を参照して、本実施の形態では、吊具２Ａのフック部２２Ａにおける垂下部２２１に、ネジ穴（タップ）２３が形成されている。図６および図７に示されるように、吊具２Ａは、ネジ穴２３にネジ４１が嵌合されることによって、がたつきが防止されると共に、長手方向の移動が規制される。具体的には、鼻隠し材１３の覆い部３０における垂直部３２に、先端が平坦状のネジ４１が押し当てられることによって、吊具２の姿勢および位置が固定される。これにより、不使用時および使用時のいずれにおいても、風などの外圧による吊具２Ａのがたつきや移動を防止することができる。
【００４４】
（変形例１）
図７に示されるように、鼻隠し材１３の垂直部３２に、間隔を置いて複数のネジ穴３２ａが形成されていてもよい。この場合の軒先構造を図８に示す。
【００４５】
図８は、本発明の実施の形態２の変形例１に係る軒先構造１０Ａ’の部分拡大図である。図８を参照して、吊具２Ａは、上記ネジ４１よりも長さのあるネジ４２が、いずれかのネジ穴３２ａに嵌合されることによって固定される。これにより、吊具２のがたつきおよび長手方向の移動が、より適切に規制される。
【００４６】
（変形例２）
実施の形態２およびその変形例１では、吊具２Ａの所定位置にネジ穴が形成されたが、吊具にネジ穴を形成することなく吊具のがたつきおよび移動を規制してもよい。
【００４７】
図９は、本発明の実施の形態２の変形例２に係る軒先構造１０Ｂの部分拡大図である。図９を参照して、本変形例では、軒天ボード１２の下面１２ｂと吊具２Ｂとの間に、くさび型のスペーサ４３が嵌入される。このように、スペーサ４３を用いることで、上記実施の形態２および変形例１に比べて、簡易に吊具２Ｂを固定することができる。
【００４８】
なお、図９に示されるように、吊具２Ｂにおける受入れ部の形状は、軒天ボード１２の下面１２ｂの下方側に位置する第２の平面部２１３が、やや下方に傾斜した形状であってもよい。このようにすることで、吊具２Ｂを軒天ボード１２に取付ける際に、受入れ部２１Ｂを軒天ボード１２に嵌め込み易くすることができる。
【００４９】
＜実施の形態３＞
上記実施の形態１および２では、吊具は、軒天ボードに取付けられたが、本実施の形態では、吊具は、鼻隠し材に取付けられる。つまり、本実施の形態では、吊具が取付けられる軒先部材は、鼻隠し材である。なお、本実施の形態では、鼻隠し材には相応の強度が備えられているものとする。
【００５０】
図１０は、本発明の実施の形態３に係る軒先構造１０Ｃの部分拡大図である。
【００５１】
図１０を参照して、吊具２Ｃは、鼻隠し部材１３の端部に取付けられる。鼻隠し部材１３の端部である覆い部３０は、上下方向に所定の厚みを有している。したがって、吊具２Ｃの受入れ部２１Ｃが、覆い部３０を上下方向に挟み込むことで、吊具２Ｃが鼻隠し材１３に取付けられる。本実施の形態では、吊具２Ｃは、鼻隠し材１３の覆い部３０をレールとして利用することができる。
【００５２】
この場合、吊具２Ｃの受入れ部２１Ｃは、軒先側に受入空間を有するが、フック部２２Ｃは、上記実施の形態１，２と同様に、軒元側に延びていることが望ましい。
【００５３】
（変形例）
なお、図１０では、吊具２Ｃの受入れ部２１Ｃは、鼻隠し材１３の覆い部３０を上下に挟み込む形状としたが、受入れ部の形状を覆い部３０の形状に合わせた形状とすることで、吊具２を取付け可能としてもよい。
【００５４】
図１１は、本発明の実施の形態３の変形例に係る吊具２Ｄの外観斜視図である。図１１を参照して、吊具２Ｄの受入れ部２１Ｄは、少なくとも、覆い部３０の上側水平部３３上に配置される第１の平面部２１１Ｄと、覆い部３０の下側水平部３１上に配置される第２の平面部２１３Ｄとを含む。本変形例では、フック部２２Ｄは、受入れ部２１Ｄの第１の平面部２１１Ｄの軒元側に連結されている。
【００５５】
なお、吊具２Ｄのがたつきを低減させるため、第１の平面部２１１Ｄは、軒天ボード１２の下面１２ｂと接することが望ましい。また、第２の平面部２１３Ｄは、覆い部３０の垂直部３２、および、垂直部３２に対向する部分１３ａそれぞれの内面と接する位置まで延びていることが望ましい。
【００５６】
＜実施の形態４＞
上記各実施の形態では、吊具が軒天部材の端部に取付けられた場合、使用時には鼻隠し材に荷重が加えられる。したがって、鼻隠し材の強度が強くない場合には、鼻隠し材に荷重を負担させないようにすることが望ましい。本実施の形態では、鼻隠し材に荷重を負担させない構成について説明する。
【００５７】
図１２は、本発明の実施の形態４に係る軒先構造１０Ｄを模式的に示す模式断面図である。図１３は、本発明の実施の形態４に係る軒先構造１０Ｄの部分拡大図である。図１３には、図１２において破線２００で囲んだ部分が拡大して示されている。
【００５８】
図１２および図１３を参照して、本実施の形態では、軒の一例として下屋１Ａが示されている。下屋１Ａの軒先には、屋根部１１Ａ、軒天ボード１２および鋼製の鼻隠し材１３Ａに加え、下地部材５１が設置される。また、鼻隠し材１３Ａの外側（軒先側）には、図示しない樋が設置される。下地部材５１は、破風下地桟である。下地部材５１は、軒天ボード１２よりも上側に位置し、下地部材５１には鼻隠し材１３Ａがビス５２等によって固定される。
【００５９】
このように、軒先に下地部材５１が配置される場合、吊具２Ｅの受入れ部２１Ｅを抱え込む抱え込み部３を設けることができる。抱え込み部３は、たとえば金属製であり、下地部材５１の下面に固定される。抱え込み部３は、下屋１Ａの長手方向略両端まで延びている。この場合、抱え込み部３が軒天ボード１２の長手方向に沿って受入れ部２１Ｅを抱え込むように配置されるため、抱え込み部３を吊具２Ｅのレールとして機能させることができる。
【００６０】
なお、本実施の形態では、軒天ボード１２が固定される桟材１４が、下地部材５１と隣接しているため、軒の出方向における受入れ部２１Ｅの第１の平面部２１１の長さは、第３の平面部２１３の長さよりも短い。しかしながら、実施の形態１と同様に、桟材１４が、下地部材５１よりも離れた位置に配置されている場合には、図３等に示した吊具２と同様の形状であってもよい。また、図１２では、フック部２２Ｅが、覆い部３０の下端位置よりも下方向に延びている形状が示されているが、実施の形態１と同様に、下端位置と同位置またはそれよりも上方に収まる形状であってもよい。
【００６１】
本実施の形態では、下地部材５１に固定された抱え込み部３に荷重が掛けられるため、鼻隠し材１３Ａの破損等を防ぐことができる。
【００６２】
なお、本実施の形態では、軒が下屋であるとして説明したが、軒先に、鼻隠し材が固定された下地部材が配置される軒先構造であれば、庇にも適用可能である。また、逆に、実施の形態１〜３に示した軒先構造は、下屋にも適用可能である。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１  庇、１Ａ  下屋、２，２Ａ，２Ｂ，２Ｃ，２Ｄ，２Ｅ  吊具、３  抱え込み部、１０，１０Ａ，１０Ａ’，１０Ｂ，１０Ｃ，１０Ｄ，１０Ｅ  軒先構造、１１，１１Ａ  屋根部、１２  軒天ボード、１３，１３Ａ  鼻隠し材、１４  桟材、２０  受入れ空間、２１，２１Ｂ，２１Ｃ，２１Ｄ，２１Ｅ  受入れ部、２２，２２Ａ，２２Ｃ，２２Ｄ，２２Ｅ  フック部、２３，３２ａ  ネジ穴、３０  覆い部、４３  スペーサ、５１  下地部材。
【図１】
2014169607.tif 000003
【図２】
2014169607.tif 000004
【図３】
2014169607.tif 000005
【図４】
2014169607.tif 000006
【図５】
2014169607.tif 000007
【図６】
2014169607.tif 000008
【図７】
2014169607.tif 000009
【図８】
2014169607.tif 000010
【図９】
2014169607.tif 000011
【図１０】
2014169607.tif 000012
【図１１】
2014169607.tif 000013
【図１２】
2014169607.tif 000014
【図１３】
2014169607.tif 000015